(57)【要約】【課題】新たに表示器を追加することなく、ファンあるいはルーバーあるいは換気装置本体等の掃除を促すための表示を行うことのできる換気装置を提供することを目的とする。【解決手段】室内の空気を屋外へ排出可能なファンモーター１を有した本体２の前面および側面の一部を覆う形状で中央部に通風開口を形成したルーバー３を設け、本体２には、ファンモーター１の運転状態等を表示する２つのＬＥＤからなる表示手段４を前面に設け、ファンモーター１の運転を制御する制御手段５を設け、ファンモーター１の運転時間を積算する積算手段９とを設け、積算手段９による運転時間の積算値が所定の時間に達すると、表示手段４は運転状態の表示とファンやルーバー３や本体２等の掃除を促すためのお手入れ表示とに優先順位を設けて運転状態の表示とお手入れ表示とを行うように構成する。【選択図】図１
2008196770.tif 000002
【特許請求の範囲】
【請求項１】
室内の空気を排出するファンモーターを有した本体と、この本体の少なくとも開口面を覆うように設けられる形状で中央部に通風開口が形成されるルーバーと、前記ファンモーターの運転状態等を表示する表示手段と、前記ファンモーターの運転を制御する制御手段と、この制御手段による前記ファンモーターの運転制御状態を変更する運転スイッチとを備え、前記表示手段は、前記ファンモーターを構成するファンあるいは前記ルーバーあるいは前記本体等の掃除を促すお手入れ表示をし、このお手入れ表示を行っているときにもファンモーターの運転状態を認識できることを特徴とした換気装置。
【請求項２】
室内の状態を検出し、前記制御手段を介して自動で前記ファンモーターの運転を変更する自動運転手段と、この自動運転手段による自動運転と前記自動運転手段によらずに連続で前記ファンモーターを運転する連続運転を切替える切替えスイッチとを設け、自動運転による前記ファンモーターの運転時間、および連続運転による前記ファンモーターの運転時間を積算する積算手段を備え、この積算手段により積算された運転時間が所定の時間に達すると、前記表示手段はお手入れ表示をすることを特徴とした請求項１記載の換気装置。
【請求項３】
前記積算手段は、前記ファンモーターが所定の時間継続して運転する毎に積算値を加算し、この積算値を記憶する積算時間記憶手段を備え、前記制御手段により前記ファンモーターが停止から運転を開始したときには、前記積算手段は積算値を加算すると共に、前記積算時間記憶手段に積算値を記憶させることを特徴とした請求項２記載の換気装置。
【請求項４】
前記積算手段で積算する積算値を１６ビットで構成し、前記積算時間記憶手段には、積算値とこの積算値の各ビットを反転した値とを対にしたデータを複数データ記憶させることを特徴とした請求項３記載の換気装置。
【請求項５】
前記運転スイッチを所定の操作することにより、任意に前記積算手段の積算値をリセットできる構成としたことを特徴とした請求項２記載の換気装置。
【請求項６】
前記表示手段は、前記積算手段の積算値がリセットされたことを表示することを特徴とした請求項５記載の換気装置。
【請求項７】
前記運転スイッチと前記切替えスイッチとを組み合わせて操作することで、前記表示手段によるお手入れ表示を行わない設定、あるいは再びお手入れ表示を行う設定にできる構成としたことを特徴とした請求項５記載の換気装置。
【請求項８】
前記表示手段を２つの表示器で構成し、前記ファンモーターの運転状態を前記２つの表示器を共に消灯または一方を点灯することで表示し、お手入れ表示を行わない設定にされたときには、前記２つの表示器を所定時間、交互に点灯して表示することを特徴とした請求項７記載の換気装置。
【請求項９】
お手入れ表示を行わない設定にされている状態で、前記運転スイッチと前記切替えスイッチとを組み合わせて操作することで、再度お手入れ表示を行う設定にされたときには、２つの表示器を所定時間、共に点灯して表示することを特徴とした請求項８記載の換気装置。
【請求項１０】
前記運転スイッチと前記切替えスイッチとを組み合わせて操作することで、あらかじめ前記積算手段に記憶されている複数のお手入れ表示をするまでの積算値から選択し、変更できる構成としたことを特徴とする請求項５または７のいずれかに記載の換気装置。
【請求項１１】
前記表示手段を２つの表示器で構成し、前記ファンモーターの運転状態を前記２つの表示器を共に消灯または一方を点灯することで表示し、お手入れ表示をするまでの積算値が変更可能な状態になったときおよび設定を変更したとき、設定されたお手入れ表示をするまでの積算値に応じた回数、少なくとも一方の表示器を点滅させて表示することを特徴とした請求項１０記載の換気装置。
【請求項１２】
前記運転スイッチの操作が、制御手段による前記ファンモーターの運転制御状態を変更する操作以外のときには、前記制御手段の運転制御状態を変更しないことを特徴とした請求項５〜１１のいずれかに記載の換気装置。
【発明の詳細な説明】
【技術分野】
【０００１】
本発明は、室内の空気を排出するファンモーターを構成するファン、あるいはこのファンモーターを有した本体、あるいはこの本体を覆うように設けたルーバー等の掃除を促すための表示をする換気装置に関する。
【背景技術】
【０００２】
近年、建築材や家具から発生する化学物質等により汚染された空気を換気するために、定常的な換気を行う換気装置が普及している。
【０００３】
従来この種の換気装置は、定常的に運転し続けるため、ファンあるいはルーバーあるいは換気装置本体等に粉塵等が付着して換気効率が低下するまでの期間が短く、換気装置が一定時間運転されると、ファンあるいはルーバーあるいは換気装置本体等の掃除を促す表示を行うための表示器、および運転時間の積算値をリセットするためのリセットスイッチが換気扇スイッチに設けられていた。（例えば、特許文献１参照）以下、その換気装置について図１０を参照しながら説明する。
【０００４】
室内の換気を行う換気扇１００と、換気扇１００への電源供給を入切するための換気扇スイッチ１０１とで構成され、換気扇スイッチ１０１は、換気扇１００の掃除を促す表示を行うための表示手段１０２と、運転スイッチ１０３の操作に応じた換気扇の運転または停止、および表示手段１０２の動作を制御する制御手段１０４と、制御手段１０４は、換気扇１００の運転時間を積算する積算手段１０５を有しており、積算手段１０５の積算値をリセットするリセットスイッチ１０６とを備えた構成である。
【０００５】
運転スイッチ１０３の操作により制御手段１０４は換気扇１００を運転または停止させ、積算手段１０５による運転時間の積算値があらかじめ設定された時間に達すると、表示手段１０２を点滅させて換気扇１００の掃除時期が来たことを報知する。また、表示手段１０２が点滅表示を行っている状態で、リセットスイッチ１０６を操作することにより、積算手段１０５は積算値をリセットするというものであった。
【特許文献１】特開２００７−００３１５８号公報
【発明の開示】
【発明が解決しようとする課題】
【０００６】
このような従来の換気装置では、ファンあるいはルーバーあるいは換気装置本体等の掃除を促すために専用の表示器を設けているので、ファンモーターの運転状態の表示を行う場合には、表示器の追加が必要となるという課題があった。
【０００７】
また、運転時間の積算値をリセットするために専用のリセットスイッチを設けているので、換気装置の運転または停止を行うための運転スイッチと、このリセットスイッチとの少なくとも２つ以上のスイッチが必要となるという課題があった。
【０００８】
本発明は、このような従来の課題を解決するもので、新たに表示器を追加することなく、ファンあるいはルーバーあるいは換気装置本体等の掃除を促すための表示を行うことのできる換気装置を提供することを目的とする。
【０００９】
また、運転時間の積算値をリセットするための専用スイッチを設けることなく、運転時間の積算値をリセットすることのできる換気装置を提供することを目的とする。
【課題を解決するための手段】
【００１０】
上記課題を解決するために、本発明の換気装置は、室内の空気を排出するファンモーターを有した本体と、この本体の少なくとも開口面を覆うように設けられる形状で中央部に通風開口が形成されるルーバーと、前記ファンモーターの運転状態等を表示する表示手段と、前記ファンモーターの運転を制御する制御手段と、この制御手段による前記ファンモーターの運転制御状態を変更する運転スイッチとを備え、前記表示手段は、前記ファンモーターを構成するファンあるいは前記ルーバーあるいは前記本体等の掃除を促すお手入れ表示をし、このお手入れ表示を行っているときにもファンモーターの運転状態を認識できることを特徴としたものである。
【００１１】
また、室内の状態を検出し、前記制御手段を介して自動で前記ファンモーターの運転を変更する自動運転手段と、この自動運転手段による自動運転と前記自動運転手段によらずに連続で前記ファンモーターを運転する連続運転を切替える切替えスイッチとを設け、自動運転による前記ファンモーターの運転時間、および連続運転による前記ファンモーターの運転時間を積算する積算手段を備え、この積算手段により積算された運転時間が所定の時間に達すると、前記表示手段はお手入れ表示をすることを特徴としたものである。
【００１２】
また、前記積算手段は、前記ファンモーターが所定の時間継続して運転する毎に積算値を加算し、この積算値を記憶する積算時間記憶手段を備え、前記制御手段により前記ファンモーターが停止から運転を開始したときには、前記積算手段は積算値を加算すると共に、前記積算時間記憶手段に積算値を記憶させることを特徴としたものである。
【００１３】
また、前記積算手段で積算する積算値を１６ビットで構成し、前記積算時間記憶手段には、積算値とこの積算値の各ビットを反転した値とで対をなしたデータを複数データ記憶させることを特徴としたものである。
【００１４】
また、前記運転スイッチを所定の操作することにより、任意に前記積算手段の積算値をリセットできる構成としたことを特徴としたものである。
【００１５】
また、前記表示手段は、前記積算手段の積算値がリセットされたことを表示することを特徴としたものである。
【００１６】
また、前記運転スイッチと前記切替えスイッチとを組み合わせて操作することで、前記表示手段によるお手入れ表示を行わない設定、あるいは再びお手入れ表示を行う設定にできる構成としたことを特徴としたものである。
【００１７】
また、前記表示手段を２つの表示器で構成し、前記ファンモーターの運転状態を前記２つの表示器を共に消灯または一方を点灯することで表示し、お手入れ表示を行わない設定にされたときには、前記２つの表示器を所定時間、交互に点灯して表示することを特徴としたものである。
【００１８】
また、お手入れ表示を行わない設定にされている状態で、前記運転スイッチと前記切替えスイッチとを組み合わせて操作することで、再度お手入れ表示を行う設定にされたときには、２つの表示器を所定時間、共に点灯して表示することを特徴としたものである。
【００１９】
また、前記運転スイッチと前記切替えスイッチとを組み合わせて操作することで、あらかじめ前記積算手段に記憶されている複数のお手入れ表示をするまでの積算値から選択し、変更できる構成としたことを特徴とするものである。
【００２０】
また、前記表示手段を２つの表示器で構成し、前記ファンモーターの運転状態を前記２つの表示器を共に消灯または一方を点灯することで表示し、お手入れ表示をするまでの積算値が変更可能な状態になったときおよび設定を変更したとき、設定されたお手入れ表示をするまでの積算値に応じた回数、少なくとも一方の表示器を点滅させて表示することを特徴としたものである。
【００２１】
また、前記運転スイッチの操作が、制御手段による前記ファンモーターの運転制御状態を変更する操作以外のときには、前記制御手段の運転制御状態を変更しないことを特徴としたものである。
【発明の効果】
【００２２】
本発明によれば、ファンモーターの運転状態等を表示する表示手段で、ファンモーターを構成するファンあるいはルーバーあるいは本体等の掃除を促すお手入れ表示をし、このお手入れ表示を行っているときにもファンモーターの運転状態を認識できる構成としたので、新たに表示器を追加することなく、ファンモーターの運転状態の表示とお手入れ表示とを表示でき、かつ主目的であるファンモーターの運転状態の表示機能を損なうことのない換気装置を提供することができる。
【００２３】
また、運転スイッチを所定の操作することにより、ファンモーターの運転時間の積算値をリセットするので、リセットするための専用スイッチを設けることなく、運転時間の積算値をリセットでき、かつコンパクトな換気装置を提供することができる。
【００２４】
また、運転スイッチと切替えスイッチとを組み合わせて操作することで、お手入れ表示を行わない設定、あるいは再びお手入れ表示を行う設定にできる構成としたので、一時的にお手入れ表示を止める機能を新たなスイッチを追加することなく実現でき、かつコンパクトな換気装置を提供することができる。
【００２５】
また、運転スイッチと切替えスイッチとを組み合わせて操作することで、お手入れ表示するまでの積算値を変更できるので、新たなスイッチを追加することなくこの積算値の設定変更ができ、かつコンパクトな換気装置を提供することができる。
【発明を実施するための最良の形態】
【００２６】
請求項１記載の発明は、室内の空気を排出するファンモーターを有した本体と、この本体の少なくとも開口面を覆うように設けられる形状で中央部に通風開口が形成されるルーバーと、前記ファンモーターの運転状態等を表示する表示手段と、前記ファンモーターの運転を制御する制御手段と、この制御手段による前記ファンモーターの運転制御状態を変更する運転スイッチとを備え、前記ファンモーターを構成するファンあるいは前記ルーバーあるいは前記本体等の掃除を促すお手入れ表示をし、このお手入れ表示を行っているときにもファンモーターの運転状態を認識できることで、新たな表示器を追加せずにファンモーターの運転状態の表示とお手入れ表示が行え、かつ主目的であるファンモーターの運転状態の表示機能を損なうことなくコンパクトになると共にコストを抑えることができる。
【００２７】
請求項２記載の発明は、請求項１記載の換気装置において、室内の状態を検出し、前記制御手段を介して自動で前記ファンモーターの運転を変更する自動運転手段と、この自動運転手段による自動運転と前記自動運転手段によらずに連続で前記ファンモーターを運転する連続運転を切替える切替えスイッチとを設け、自動運転による前記ファンモーターの運転時間、および連続運転による前記ファンモーターの運転時間を積算する積算手段を備え、この積算手段により積算された運転時間が所定の時間に達すると、前記表示手段はお手入れ表示をすることで、使用者は任意に運転方法を自動運転と手動による連続運転とから選択できると共に、簡単な構成でファンモーターの運転方法によらずに掃除を促すための表示を行うことができる。
【００２８】
請求項３記載の発明は、請求項２記載の換気装置において、前記積算手段は、前記ファンモーターが所定の時間継続して運転する毎に積算値を加算し、この積算値を記憶する積算時間記憶手段を備え、前記制御手段により前記ファンモーターが停止から運転を開始したときには、前記積算手段は積算値を加算すると共に、前記積算時間記憶手段に積算値を記憶させることで、停電の発生や、外部スイッチにより電源供給が遮断されても電源が再度供給されたときに積算時間記憶手段より積算値を読み出して初期値として、電源供給が遮断される直前の積算値から運転時間の積算を開始することができると共に、ファンモーターの運転が開始されてから所定の時間継続する前に、電源供給が遮断されても運転時間の積算を行うことができる。
【００２９】
請求項４記載の発明は、請求項３記載の換気装置において、前記積算手段で積算する積算値を１６ビットで構成し、前記積算時間記憶手段には、積算値とこの積算値の各ビットを反転した値とで対をなしたデータを複数データ記憶させることで、記憶されている積算値と反転値とを照合することによりデータ破損を検出することができ、かつデータ破損をした場合でも、他の破損していないデータを読み出してデータ破損直前の積算値から再度積算を開始することができる。
【００３０】
請求項５記載の発明は、請求項２記載の換気装置において、前記運転スイッチを所定の操作することにより、任意に前記積算手段の積算値をリセットできる構成としたことで、お手入れ表示がされる前に掃除を行ったときにも容易に積算値をリセットすることができ、かつ部品点数を削減することができ、コンパクトになると共にコストを抑えて実現することができる。
【００３１】
請求項６記載の発明は、請求項５記載の換気装置において、前記表示手段は、前記積算手段の積算値がリセットされたことを表示することで、積算値のリセット操作が確実に行われたことを使用者は容易に確認することができる。
【００３２】
請求項７記載の発明は、請求項５記載の換気装置において、前記運転スイッチと前記切替えスイッチとを組み合わせて操作することで、前記表示手段によるお手入れ表示を行わない設定、あるいは再びお手入れ表示を行う設定にできる構成としたことで、使用者がこの表示を煩わしいと感じた場合には、容易に一時的にお手入れ表示を止められ、かつスイッチを追加することがなくコンパクトになると共にコストを抑えて実現することができる。
【００３３】
請求項８記載の発明は、請求項７記載の換気装置において、前記表示手段を２つの表示器で構成し、前記ファンモーターの運転状態を前記２つの表示器を共に消灯または一方を点灯することで表示し、お手入れ表示を行わない設定にされたときには、前記２つの表示器を所定時間、交互に点灯して表示することで、お手入れ表示を行わないように設定されたことを使用者は容易に確認することができる。
【００３４】
請求項９記載の発明は、請求項８記載の換気装置において、お手入れ表示を行わない設定にされている状態で、前記運転スイッチと前記切替えスイッチとを組み合わせて操作することで、再度お手入れ表示を行う設定にされたときには、２つの表示器を所定時間、共に点灯して表示することで、お手入れ表示を行わない設定にされたときとの区別ができ、再度お手入れ表示を行う設定にされたことを使用者は容易に確認することができる。
【００３５】
請求項１０記載の発明は、請求項５または７のいずれかに記載の換気装置において、前記運転スイッチと前記切替えスイッチとを組み合わせて操作することで、あらかじめ前記積算手段に記憶されている複数のお手入れ表示をするまでの積算値から選択し、変更できる構成としたことで、使用環境や使用者の要求に合せてお手入れ表示をするまでの積算値を設定することができ、かつスイッチを追加することなくコンパクトになると共にコストを抑えて実現することができる。
【００３６】
請求項１１記載の発明は、請求項１０記載の換気装置において、前記表示手段を２つの表示器で構成し、前記ファンモーターの運転状態を前記２つの表示器を共に消灯または一方を点灯することで表示し、お手入れ表示をするまでの積算値が変更可能な状態になったときおよび設定を変更したとき、設定されたお手入れ表示をするまでの積算値に応じた回数、少なくとも一方の表示器を点滅させて表示することで、お手入れ表示をするまでの積算値の設定を使用者は容易に確認することができる。
【００３７】
請求項１２記載の発明は、請求項５〜１１のいずれかに記載の換気装置において、前記運転スイッチの操作が、制御手段による前記ファンモーターの運転制御状態を変更する操作以外のときには、前記制御手段の運転制御状態を変更しないことで、運転または停止する以外に運転スイッチを操作したときに使用者の意図に反して運転したり、停止したりすることを防ぐことができる。
【００３８】
以下、本発明の実施形態について図１〜図９を参照しながら説明する。
【００３９】
（実施の形態１）
図１〜図３に示すように、室内の壁面または天井面に配設され、室内の空気を屋外へ排出可能なファンモーター１を有した本体２の前面および側面の一部を覆う形状で中央部に通風開口を形成したルーバー３を設ける。
【００４０】
本体２には、ファンモーター１の運転状態等を表示する例えば発光ダイオード（以下、ＬＥＤ）などの表示手段４を前面に設け、ファンモーター１の運転を制御する制御手段５を設け、制御手段５によってファンモーター１の風量等の制御を行う運転状態とファンモーター１を停止させる停止状態からなる運転制御状態を変更できるように運転スイッチ６を本体２の一方の側面に設け、更に室内の状態、例えば人の在室を赤外線センサーで検出し、制御手段５を介して自動でファンモーター１の運転を制御できるように自動運転手段７を設け、自動運転手段７によって自動で運転する自動モードと自動運転手段７によらずに連続で運転する連続モードからなる運転モードの切替えを行う切替えスイッチ８を本体２の前面に設け、ファンモーター１の運転時間を積算する例えばマイクロコンピュータなどの内部に構成される積算手段９を設ける。
【００４１】
表示手段４は、色の異なる２つのＬＥＤ、例えば緑色のＬＥＤ４ａと赤色のＬＥＤ４ｂとからなり、ルーバー３の表示手段４の前面を覆う箇所を薄肉にし、ルーバー３を透過して表示可能な構成とする。
【００４２】
なお、検出する室内の状態を人の在室としたが、温度や湿度、空気の汚れといった空質環境を検出して自動運転を行うように構成してもよい。
【００４３】
運転スイッチ６を操作して制御手段５の運転制御状態が運転状態になると、切替えスイッチ８で設定された運転モードで制御手段５はファンモーター１の運転を制御すると共に、表示手段４はファンモーター１の運転状態を表示する。運転モードが連続モードであれば、制御手段５はファンモーター１を強運転させると共に、表示手段４は赤色のＬＥＤ４ｂを点灯することでファンモーター１が強運転していることを表示し、積算手段９は運転時間の積算を開始する。
【００４４】
その後、再度運転スイッチ６を操作して運転制御状態が停止状態となるまで制御手段５はファンモーター１の強運転を継続し、表示手段４は赤色のＬＥＤ４ｂを点灯し続け、積算手段９は運転時間の積算を行う。運転モードが自動モードであれば、運転スイッチ６を操作したことに伴い自動運転手段７が人の在室を検出するため、制御手段５はファンモーター１を強運転させると共に、表示手段４は赤色のＬＥＤ４ｂを点灯することでファンモーター１が強運転していることを表示し、積算手段９は運転時間の積算を開始する。その後、人が在室していないと判断できる例えば５分継続して自動運転手段７が人の在室を検出しなくなると、制御手段５はファンモーター１を常時換気運転に変更し、表示手段４は赤色のＬＥＤ４ｂを消灯させ、緑色のＬＥＤ４ａを点灯することでファンモーター１が常時換気運転していることを表示する。
【００４５】
その後、人の在室を検出するまで制御手段５はファンモーター１の常時換気運転を継続し、表示手段４は緑色のＬＥＤ４ａを点灯し続ける。また、積算手段９による運転時間の積算は、再度運転スイッチ６を操作して運転制御状態が停止状態となるまで行う。
【００４６】
運転スイッチ６を操作して制御手段５の運転制御状態が停止状態になると、切替えスイッチ８で設定された運転モードに関わらず制御手段５はファンモーター１を停止させ、表示手段４は緑色のＬＥＤ４ａおよび赤色のＬＥＤ４ｂを消灯してファンモーター１の停止を表示する。
【００４７】
なお、ここでいう常時換気運転とは、室内の空気を低風量で定常的に換気する換気運転である。また、強運転とは、常時換気運転よりも多い風量で素早く室内の空気を排出する換気運転である。
【００４８】
積算手段９による運転時間の積算値がファンモーター１の一部を構成するファンやルーバー３、本体２等を掃除する目安である例えば３ヶ月に達すると、表示手段４は赤色のＬＥＤ４ｂを点滅させてファンやルーバー３、本体２等の掃除を促すお手入れ表示を表示する。
【００４９】
また、表示手段４は、ファンモーター１が強運転しているときは強運転の表示よりもお手入れ表示を優先して表示し、ファンモーター１が停止しているときは、お手入れ表示よりも停止の表示を優先して表示するように構成する。
【００５０】
上記構成において、例えば切替えスイッチ８により自動モード設定されており、ファンモーター１が常時換気運転しているとき、表示手段４は緑色のＬＥＤ４ａを点灯させる。積算手段９による運転時間の積算値が３ヶ月に達すると、表示手段４は緑色のＬＥＤ４ａの点灯を継続すると共に、赤色のＬＥＤ４ｂを点滅させてお手入れ表示を表示する。その後、自動運転手段７が人の在室を検出し、制御手段５はファンモーター１を強運転させる。表示手段４は、強運転の表示よりもお手入れ表示を優先して表示するために、緑色のＬＥＤ４ａを消灯し、赤色のＬＥＤ４ｂを点滅させてお手入れ表示のみを行うので、お手入れ表示を表示しているときにもファンモーター１の運転状態を認識することができることとなる。
【００５１】
このように本発明では、同一の表示手段４でファンモーター１の運転状態の表示と掃除を促すお手入れ表示とを行い、ファンモーター１の運転状態によって表示の優先度を設けることで、新たなＬＥＤの追加が不要であり、コンパクトになると共にコストを抑えることができ、かつお手入れ表示を行っているときにもファンモーター１の運転状態を容易に認識することができる。また、ファンモーター１の運転時間を積算することでお手入れ時期を報知するので、簡単な構成で掃除を促すための表示を行うことができる。
【００５２】
なお、自動運転手段７が人の在室を検出していないときに、制御手段５はファンモーター１を常時換気運転するようにしたが、ファンモーター１を停止するようにし、更に、表示手段４は緑色のＬＥＤ４ａを点灯させて自動モードによるファンモーター１の運転待機状態であることを表示するようにしてもその作用効果に変わりはない。
【００５３】
また、図４〜図６に示すように、積算手段９によるファンモーター１の運転時間の積算値を記憶する例えばＥＥＰＲＯＭなどの不揮発性メモリからなる積算時間記憶手段１０を設ける。
【００５４】
電源が供給されると、積算手段９は積算時間記憶手段１０より記憶されている積算値を読み出して初期値とし、ファンモーター１の運転時間を積算する。
【００５５】
積算手段９は、メモリなどの積算時間記憶手段１０に記憶させる積算値を小さくすると共に、実際にファンモーター１が運転した時間との誤差を極力抑えるために、例えば１５分継続してファンモーター１が運転する毎に積算値を１加算すると共に、積算値をメモリなどの積算時間記憶手段１０へ記憶させる。また、ファンモーター１が停止から運転を開始したときも積算手段９は積算値を１加算すると共に、メモリなどの積算時間記憶手段１０に積算値を記憶さる。そのため、運転開始より１５分継続して運転したときには積算値を１加算しない。その後は、１５分継続して運転する毎に積算値を１加算すると共に、メモリなどの積算時間記憶手段１０に積算値を記憶させる。
【００５６】
積算値は１６ビットデータで構成し、積算時間記憶手段１０には、記憶データのエラーチェックのために積算値である正データとこの積算値の各ビットを反転した反転データとで対をなし、これをオリジナルデータとして記憶させる。更に、オリジナルデータと同じコピーデータをオリジナルデータと区別させて記憶させる。その他の構成については同様であるため説明を省略する。
【００５７】
上記構成において、まず、積算値の初期値を設定する動作について図５のフローチャートを用いて説明する。
【００５８】
電源が供給されると、積算手段９はステップ１（  以下、ステップをＳと略記）で積算時間記憶手段１０からオリジナルデータを読み出し、Ｓ２でオリジナルデータの正データと反転データとを照合し、反転関係であればデータが破損していないとして、Ｓ３でオリジナルデータの正データを積算値の初期値として設定して終了する。
【００５９】
反転関係になければオリジナルデータが破損しているとしてＳ４へ移行し、Ｓ４で積算時間記憶手段１０からコピーデータを読み出し、Ｓ５でコピーデータの正データを積算値の初期値として設定し、Ｓ６でコピーデータをオリジナルデータとして記憶しなおし、オリジナルデータを復帰させて終了する。
【００６０】
次に、積算手段９による運転時間の積算および積算時間記憶手段１０への記憶動作について図６のフローチャートを用いて説明する。
【００６１】
積算値の初期値が設定されると、Ｓ７でファンモーター１の運転開始を判断し、運転開始と判断されると、Ｓ８で運転時間のカウントを開始し、Ｓ９で積算値を１加算し、Ｓ１０で初めにオリジナルデータ、次にコピーデータの順で積算時間記憶手段１０へ記憶させる。
【００６２】
Ｓ１１で運転が継続しているか否かを判断し、停止していればＳ７へ移行する。
【００６３】
運転が継続されていればＳ１２へ移行し、Ｓ１２で運転時間のカウントが１５分に達していなければＳ１１へ移行する。
【００６４】
１５分に達していればＳ１３で運転時間の再カウント開始する。
【００６５】
Ｓ１４で運転が継続しているか否かを判断し、停止していればＳ７へ移行する。
【００６６】
運転が継続されていればＳ１５へ移行し、Ｓ１５で運転時間のカウントが１５分に達していなければＳ１４へ移行する。
【００６７】
１５分に達していればＳ１６へ移行し、Ｓ１６で積算値を１加算し、Ｓ１７で初めにオリジナルデータ、次にコピーデータの順で積算時間記憶手段１０へ記憶させ、Ｓ１３へ移行し運転時間の積算が継続されることとなる。
【００６８】
このように本発明では、ファンモーター１の運転時間の積算値を不揮発性メモリからなる積算時間記憶手段１０に記憶させ、ファンモーター１が運転を開始したときにも積算値を加算し、積算時間記憶手段１０に記憶させることで、停電の発生や、外部スイッチにより電源供給が遮断されても電源供給が遮断される直前の積算値から運転時間の積算を開始することができると共に、ファンモーター１の運転の開始から１５分以内に、電源供給が遮断されても運転時間の積算を行うことができる。また、記憶データのエラーチェックがおこなえるように正データと反転データとで対をなして記憶させると共に、全く同じデータを２つ記憶させることで、例えば積算時間記憶手段１０へ記憶させている途中で電源供給が遮断されたことによりデータが破損した場合にこれを検出することができ、かつ破損していないもう一方のデータを読み出してデータ破損直前の積算値から再度運転時間の積算を開始することができる。
【００６９】
また、運転スイッチ６を通常の操作と区別するために例えば３秒程度押し続ける等のリセット操作をすることで、積算手段９は積算値をゼロにリセットし、ゼロにリセットされた積算値を積算時間記憶手段１０に記憶する。更に、積算値がゼロにリセットされたことを報知するために運転スイッチ６が押されている間、表示手段４は緑色のＬＥＤ４ａおよび赤色のＬＥＤ４ｂを点滅させて表示するように構成する。その他の構成については同様であるため説明を省略する。
【００７０】
上記構成において、例えば、ファンモーター１の運転時間の積算値がお手入れ時期である３ヶ月に達していない状態で使用者が掃除を行った場合、掃除終了後にリセット操作を行うことで積算値をリセットでき、掃除後直ぐに掃除の必要性がないにも関わらずお手入れ表示されることを防ぐことができる。また、使用者は掃除を行ったときなど意図的に運転スイッチ６を３秒以上押し続けることで積算値のリセットをすることとなる。
【００７１】
このように本発明では、運転スイッチ６のリセット操作で任意にファンモーター１の運転時間の積算値をリセットできるようにすることで、不要なお手入れ表示を行うことを防ぐことができると共に、運転スイッチ６が不用意に操作されても積算値がリセットされることを防ぐことができ、かつ部品点数が削減されてコンパクトになると共にコストを抑えることができる。また、リセットされたことを表示手段４で表示することで、リセット操作が確実に行われたことを使用者は容易に確認することができる。
【００７２】
（実施の形態２）
図７に示すように、運転スイッチ６を押しながら切替えスイッチ８を２回操作する（例えば自動に設定されているときは、一度連続へ操作し再度自動へ操作する）と、お手入れ表示が有効であるときは、お手入れ表示を無効にし、ファンモーター１の運転時間の積算値がお手入れ時期である３ヶ月に達してもお手入れ表示を行わないこととなる。お手入れ表示が無効であるときは、お手入れ表示を有効にし、ファンモーター１の運転時間の積算値がお手入れ時期である３ヶ月に達するとお手入れ表示を行うこととなる。
【００７３】
また、お手入れ表示を無効に変更したとき、表示手段４は使用者がお手入れ表示の設定が変更されたことを認識できるように例えば３秒間、緑色のＬＥＤ４ａと赤色のＬＥＤ４ｂを交互に点灯し、お手入れ表示が無効になったことを表示する。お手入れ表示を有効に変更したときは、表示手段４は３秒間、緑色のＬＥＤ４ａおよび赤色のＬＥＤ４ｂを共に点灯し、お手入れ表示が有効になったことを表示する。その他の構成については実施の形態１と同様であるため説明を省略する。
【００７４】
上記構成において、お手入れ表示の有効または無効の設定を変更するときの動作について図７のフローチャートを用いて説明する。
【００７５】
Ｓ１８で制御手段５により運転スイッチ６が押されてＯＮになっているかが判断され、運転スイッチ６がＯＮであればＳ１９へ移行する。
【００７６】
運転スイッチ６がＯＦＦであればＳ２０で切替えスイッチ８の操作回数をゼロにクリアして終了する。
【００７７】
Ｓ１９で切替えスイッチ８が操作されたか否かを判断し、切替えスイッチ８が操作されたと判断するとＳ２１で切替えスイッチ８の操作回数を１加算する。
【００７８】
切替えスイッチ８が操作されてなければＳ１８へ移行する。
【００７９】
Ｓ２２で切替えスイッチ８の操作回数が２回に達しているか否かを判断し、２回に達していればＳ２３へ移行する。
【００８０】
切替えスイッチ８の操作回数が２回に達していなければＳ１８へ移行する。
【００８１】
Ｓ２３で表示手段４はお手入れ表示が有効か否かを判断し、有効であればＳ２４でお手入れ表示を無効に変更し、Ｓ２５で３秒間、緑色のＬＥＤ４ａと赤色のＬＥＤ４ｂを交互に点灯して終了する。
【００８２】
お手入れ表示が無効であればＳ２６へ移行し、Ｓ２６でお手入れ表示を有効に変更し、Ｓ２７で３秒間、緑色のＬＥＤ４ａおよび赤色のＬＥＤ４ｂを共に点灯して終了する。
【００８３】
このように本発明では、運転スイッチ６と切替えスイッチ８とを組み合わせて操作することで容易にお手入れ表示の有効または無効を設定できるので、例えば夜間にお手入れ表示がされたために使用者が翌日に掃除をする場合、夜間であるためお手入れ表示の点滅が煩わしいと感じた場合には、一時的にお手入れ表示を消すことができ、翌日の朝あるいは掃除後に再度お手入れ表示を有効にすることで、更にファンモーター１の運転時間の積算値がお手入れ時期である３ヶ月に達したときにお手入れ時期が来たことを認識することがきる。
【００８４】
また、切替えスイッチ８を往復操作して設定を変更するので、運転モードを再設定する必要がない。また、スイッチの追加が不要であり、コンパクトになると共にコストを抑えることができる。更に、お手入れ表示の設定を変更したとき、表示手段４は設定状態に応じた表示をするので、使用者は容易に設定の区別ができると共に確実に設定されたことを確認することができる。
【００８５】
（実施の形態３）
図８および図９に示すように、お手入れ表示をするまでの積算値を、運転スイッチ６の操作回数に応じて設定できるように、あらかじめ積算手段９に記憶させておく。
【００８６】
運転スイッチ６を押しながら切替えスイッチ８を１回操作、例えば自動に設定されているときは連続へ操作し、運転スイッチ６を離すとお手入れ表示をするまでの積算値が変更可能な状態となる。このとき、表示手段４は設定されているお手入れ表示をするまでの積算値に応じて１〜１２回、緑色のＬＥＤ４ａを点滅させて現在の設定値を報知する。点滅回数は、設定値が１ヶ月であれば１回、３ヶ月であれば３回、６ヶ月であれば６回、１２ヶ月であれば１２回点滅させる。
【００８７】
運転スイッチ６が操作される毎に操作回数をカウントし、カウントが４回になった後、更に運転スイッチ６が操作されると、操作回数のカウントを１回に戻して初めの設定値から選択できるようにする。
【００８８】
お手入れ表示をするまでの積算値を選択し、切替えスイッチ８を連続から自動へ１回操作すると、お手入れ表示をするまでの積算値を選択された設定値に変更し、表示手段４は設定値に応じて１〜１２回、緑色のＬＥＤ４ａを点滅させる。その他の構成については実施の形態１および実施の形態２と同様であるため説明を省略する。
【００８９】
上記構成において、お手入れ表示をするまでの積算値の設定を変更するときの動作について図９のフローチャートを用いて説明する。
【００９０】
Ｓ２８で制御手段５により運転スイッチ６が押されてＯＮになっているかが判断され、運転スイッチ６がＯＮであればＳ２９へ移行する。
【００９１】
運転スイッチ６がＯＦＦであればＳ３０で運転スイッチ６の操作回数のカウントをゼロにクリアして終了する。
【００９２】
Ｓ２９で切替えスイッチ８が操作されたか否かを判断し、切替えスイッチ８が操作されたと判断するとＳ３１へ移行する。
【００９３】
切替えスイッチ８が操作されてなければＳ２８へ移行する。
【００９４】
Ｓ３１で運転スイッチ６が離されてＯＦＦになったかが判断され、ＯＦＦになったと判断するとＳ３２へ移行し、Ｓ３２でお手入れ表示をするまでの積算値の設定に応じて表示手段４は１〜１２回、緑色のＬＥＤ４ａを点滅させる。
【００９５】
Ｓ３３で切替えスイッチ８が操作されたか否かを判断し、切替えスイッチ８が操作されたと判断するとＳ３４へ移行する。
【００９６】
切替えスイッチ８が操作されてなければＳ３５へ移行し、Ｓ３５で運転スイッチ６が操作されたか否かを判断し、操作されればＳ３６で操作回数のカウントを１加算し、Ｓ３７でカウントが５回以上であればＳ３８で操作回数のカウントを１回に戻す。
【００９７】
Ｓ３４で運転スイッチ６が操作されたか否かを判断し、操作されていればＳ３９へ移行し、Ｓ３９で操作回数のカウントに応じて、あらかじめ積算手段９に記憶されている設定値からお手入れ表示をするまでの積算値を設定し、Ｓ４０で設定された設定値に応じて表示手段４は１〜１２回緑色のＬＥＤ４ａを点滅させてお手入れ表示をするまでの積算値を報知して終了する。
【００９８】
運転スイッチ６が操作されていなければそのまま終了する。
【００９９】
このように本発明では、あらかじめ積算手段９にお手入れ表示をするまでの積算値を複数記憶させておき、運転スイッチ６と切替えスイッチ８とを組み合わせて操作することで容易にお手入れ表示をするまでの積算値を変更できるので、使用環境に応じたお手入れ表示に設定することができ、かつスイッチを追加せずに実現でき、コンパクトになると共にコストを抑えることができる。また、切替えスイッチ８の操作を往復する操作としているので、運転モードを再設定する必要がない。また、設定されたお手入れ表示をするまでの積算値を表示するので、使用者は容易に設定値を確認することができる。
【０１００】
なお、設定可能なお手入れ表示をするまでの積算値を１ヶ月、３ヶ月、６ヶ月、１２ヶ月としたが、１ヶ月単位または１日単位等、細かに設定できるようにしてもその作用効果に変わりはない。
【０１０１】
（実施の形態４）
運転スイッチ６が離されたときに制御手段５によるファンモーター１の運転制御状態を変更し、運転スイッチ６が離される前に積算値をリセットするリセット操作または、お手入れ表示の有効または無効を設定する操作または、お手入れ表示をするまでの積算値を変更する操作のいずれかの操作が行われたときには、運転スイッチ６が離されても制御手段５によるファンモーター１の運転制御状態を変更しないように構成する。その他の構成については実施の形態１〜実施の形態３と同様であるため説明を省略する。
【０１０２】
上記構成において、例えば表示手段４によりお手入れ表示がされ、使用者は掃除を行うために運転スイッチ６を操作してファンモーター１を停止させる。掃除が終了した後、使用者は積算値のリセット操作をするために運転スイッチ６を３秒以上押し続け、積算値がリセットされると表示手段４により赤色のＬＥＤ４ｂが点滅して表示されることで、使用者はリセットされたことを確認し運転スイッチ６を離すこととなる。このとき、リセット操作が行われたため、ファンモーター１は停止したままとなる。
【０１０３】
このように本発明では、制御手段５によるファンモーター１の運転制御状態を変更する通常操作以外の操作をしたときには、制御手段５の運転制御状態を変更しないので、使用者の意図に反して運転したり、停止したりすることを防ぐことができる。
【産業上の利用可能性】
【０１０４】
本発明の換気装置は、運転状態を表示する表示手段で、運転状態の表示と掃除を促すための表示とを表示できることで、主目的である運転状態の表示機能を損なうことなく付加機能の表示ができると共に、構成部品を少なく抑えることで、運転表示と付加機能の表示を行う換気装置などについて有用である。
【図面の簡単な説明】
【０１０５】
【図１】本発明の実施の形態１の換気装置を示す正面図
【図２】同換気装置のルーバーを分離した状態を示す側面図
【図３】同換気装置の構成を示すブロック図
【図４】同換気装置の構成を示すブロック図
【図５】同換気装置の運転時間の積算値の初期値を設定する動作を説明するためのフローチャート
【図６】同換気装置の運転時間の積算および積算値を記憶する動作を説明するためのフローチャート
【図７】本発明の実施の形態２の換気装置のお手入れ表示の有効または無効の設定を変更する動作を説明するためのフローチャート
【図８】本発明の実施の形態３の換気装置のお手入れ表示をするまでの積算値の設定の例を示す図
【図９】同換気装置のお手入れ表示をするまでの積算値の設定を変更する動作を説明するためのフローチャート
【図１０】従来の換気装置の構成を示すブロック図
【符号の説明】
【０１０６】
１    ファンモーター
２    本体
３    ルーバー
４    表示手段
４ａ  緑色のＬＥＤ
４ｂ  赤色のＬＥＤ
５    制御手段
６    運転スイッチ
７    自動運転手段
８    切替えスイッチ
９    積算手段
１０  積算時間記憶手段
【図１】
2008196770.tif 000003
【図２】
2008196770.tif 000004
【図３】
2008196770.tif 000005
【図４】
2008196770.tif 000006
【図５】
2008196770.tif 000007
【図６】
2008196770.tif 000008
【図７】
2008196770.tif 000009
【図８】
2008196770.tif 000010
【図９】
2008196770.tif 000011
【図１０】
2008196770.tif 000012